(57)【要約】【課題】本発明の目的は特に高温多湿時のべたつきを防止する凹凸形状を提供することにある。【解決手段】便座の人体当接面に微細な凹凸を設ける事により尻や大腿部と便座の人体当接面の接触面積を減少させることにある。用便者が便座に着座した際に、便座表面の凹凸の凹部は、人体との当接部分で、空気層を形成し、便座と非接触の状態を形成することができる。この空気層は、尻および大腿部と便座との間に汗や皮脂などが挟まれ、密着し、着座中もしくは立ち上がる時に前記汗や皮脂が空気の進入を遮断するというべたつきの要因を排除し、着座中や立ち上がる際に空気の出入りを円滑に行えるようになるため、べたつき感を解消できるものである。【選択図】　図２
2004097460.tif 000002
【特許請求の範囲】
【請求項１】
少なくとも着座時の便座を覆う面積の単位面積（ｃｍ２）当り４〜１５％の接触面積を有することを特徴とする便座。
【請求項２】
少なくとも着座面全体に微細な凹凸形状を有しその一つの凸面積が０．０１ｍｍ２以下（０は含まない）で凹幅が凸幅の１．６〜４倍でありさらに溝深さが０．０３ｍｍ以上を有することを特徴とする請求項１記載の便座。
【請求項３】
凹凸形状が格子状に形成されていることを特徴とする請求項１記載の便座
【請求項４】
凸部の接触面積をＡ％、深さをＢｍｍとしたとき（１００‐Ａ）×Ｂが９％・ｍｍ以上であることを特徴とする請求項１記載の便座。
【請求項５】
凸平面および凹平面の表面粗さ（Ｒａ）は、０．１μｍ以下であることを特徴とする請求項１記載の便座。
【発明の詳細な説明】
【０００１】
【発明の属する技術分野】
本発明は便座に係り、特に、便座表面に凹凸を形成した便座に関する。
【０００２】
【従来の技術】
従来の便座は硬質樹脂で成形されることが多く三次元形状を有する滑らかな面であった、このような便座に着座すると用便者は湿度の高い時は汗や皮脂によるべたつきを感じ不快感あるという問題があった。
【０００３】
この不快感を解消するために、皮膚との接触面積を減らそうと、便座表面に凹凸をつけた構造が提案されている（例えば、特許文献１参照。）。この提案では、便座表面に大きさ２ｃｍ程度で、高さ１ｃｍ程度の比較的大きな凹凸を設け、同時に指圧機能を付加したものとしている。
【０００４】
【特許文献１】
実開平７−１１９９８号（第３−４頁、第３図）
【０００５】
【発明が解決しようとする課題】
しかしながら上記のように大きな凹凸形状では用便者着座時に尻および大腿部が凹部分に食込み、接触面積が従来のフラットな便座よりもさらに拡大しべたつき
感を解消することができない。
【０００６】
本発明は、上記課題を解決するためになされたもので、人体当接面の高温多湿時のべたつき感を感じない、便座を提供することにある。
【０００７】
本発明は、上記課題を解決するためになされたもので、硬質樹脂を用いた便座に微細な凹凸を設けることにより用便者着座時の便座のべたつき感を感じることがない便座を提供することにある。
【０００８】
【課題を解決するための手段】
上記目的を達成するために請求項１の発明によれば、便座の人体当接部が、単位面積当り４〜１５％の接触面積比率をもつようにし、用便者が便座に着座した際に、便座表面の凹凸の凹部は、人体との当接部分で、空気層を形成し、便座と非接触の状態を形成することができる。この空気層は、尻および大腿部と便座との間に汗や皮脂などが挟まれ、密着し、着座中もしくは立ち上がる時に前記汗や皮脂が空気の進入を遮断するというべたつきの要因を排除し、着座中や立ち上がる際に空気の出入りを円滑に行えるようになるため、べたつき感を解消できるものである。
【０００９】
また上記目的を達成するために請求項２の発明は請求項１の微細凹凸を有する便座において一つの凸面積が０．０１ｍｍ２以下（０は含まない）であり凹幅が凸幅の１．６〜４倍とすることで接触率４〜１５％を有するものでありさらに溝深さが０．０３ｍｍ以上設けることで人体当接部への尻および大腿部の食込みによる接触面積の増加を防ぎ、上記接触面積の範囲内にすることができるものである。
【００１０】
また上記目的を達成するために請求項３の発明は凹凸形状を格子状に形成することによって上記の凹凸の面積比が全体に保たれ、べたつき防止を人体当接部全体に均等に有することができる。また、格子状は、製造面でも形成し易い形状であるので、量産性に優れている。
【００１１】
また上記目的を達成するために請求項４の発明は請求項１の微細凹凸を有する便座において、人体当接部に凹凸があり凸部の接触面積比率をＡ％、深さをＢｍｍとしたときの（１００−Ａ）×Ｂが９％・ｍｍ以上であることにより、人体との当接部分で空気層を形成し便座との非接触の状態を形成することができるが、この空気層は、尻および大腿部の急激な温度変化を起こすというひやり感の要因を排除し着座時に尻部の体温低下を抑えるためひやり感を解消できるものである。
【００１２】
また上記目的を達成するために請求項５の発明は請求項１の微細凹凸を有する便座において、人体当接面に凹凸があり凸平面および凹平面の表面粗さ（Ｒａ）は０．１μｍ以下であることにより凸部平面と凹部平面の光の反射角度が同じになるため、人体当接面に凹凸があるにも関わらず光沢を維持できるものである。
【００１３】
【発明の実施の形態】
以下、本発明を添付図面に示す実施形態に基づいて説明する。
【００１４】
図１および図２は本発明の実施形態の一例を示すものであり用便者の着座する便座１の上面に、微細な凹凸を設けてある。便座の材質としては、通常用いられるＡＢＳ（アクリルニトリル・ブタジエン・スチレン共重合樹脂）、ＰＰ（ポリプロピレン）などの硬質樹脂が利用できる。
【００１５】
この微細凹凸は、図２に示すように交差させた溝形状を格子状に形成しており、一つの凸部３の形状は０．１ｍｍ×０．１ｍｍ以下（０は含まない）の角形状、面積は０．０１ｍｍ２以下とする、これにより用便者着座時に尻および大腿部６が凹部４に食込むことを防ぐことができる。図３に、人が着座した際の人体（皮膚）６と凹部及び凸部との関係を示す図である。図３に示されるように、凹部への皮膚の入り込みは無視できるくらい無い。従って、人体との接触面積は、人体との接触部に存在する凸部の面積に近似できる。
【００１６】
また凹凸の深さは０．０３ｍｍ以上とし、最大限便座の厚みより小さく、凸部に掛かる着座時の押圧力に耐える深さとし、尚、溝深さは、０．０３ｍｍより浅い凹凸形状になると接触面積を低減させる凹凸の効果を十分発揮することができずべたつき感を感じてしまうものである。
【００１７】
微細凹凸の形成方法としては、上記した樹脂を射出成形やプレス成形をする際の金型のキャビティへのエッチングによるものや切削加工により凹凸の加工を行なうなどの方法がある。また微細凹凸の形成されたカバーなどを便座表面に張りつけるなどの方法でもよい。この場合、カバーを商品とでき、既存の便器にも対応できる。尚、凹凸のパターンとしては図４に示すような格子状に並ばない凹凸形状や図５のような形状でもべたつきを解消することができる。図５のような丸凸の場合金型に微細な穴を無数に加工することで凹凸を形成することができるため比較的容易に加工することが可能である。
【００１８】
また、凹部４の幅は凸部３の１．６倍以上の幅とすることで接触面積比率１５％以下を形成することが可能である。この１５％の接触面積比率を人体当接面２に、設けることにより用便者が便座１に着座したときべたつき感を解消することができる。これは用便者が着座したとき尻や大腿部である人体６と便座１の人体当接面２の間に汗や皮脂が挟まれ空気を遮断してしまう事が原因であるためその人体当接面２の８割以上を空気層５にすることによるべたつきの解消である。
【００１９】
上記では角の格子形状を例にとっているが、たとえば、丸の凸を周期的に加工したものやその他の構造であっても凹凸の幅と空隙率を同じ様にとることで同様の結果がえられる。また上記４〜１５％の接触面積比率は、１５％以上の接触面積ではべたつきが生じ４％以下は凹凸の加工が非常に困難であることによるものである。
【００２０】
次に、凹凸の好ましい条件について、詳細に説明する。
表１は、各試験サンプル毎に、凹凸の条件として、凸部３の面積、凸部間の距離（ピッチ）、凹部４の深さ、接触面積比率を変化させたときの官能試験の結果を示すものである。尚、試験サンプル凹０．４とは、凹部の幅が０．４ｍｍであることを指し、また、凸０．４とは、凸部の幅が０．４ｍｍであることを指す。人は、無作為に抽出した３名によって行った。べたつき感とは着座時尻および大腿部６と人体当接面２の間に汗や皮脂などが挟まれており、着座中もしくは立ち上がる時にも汗や皮脂が空気の進入を遮断することがべたつきの原因である。微細な凹凸を有する便座では、例えば高温多湿の環境下で便座に着座したときでも尻および大腿部６と接触する面は凸部３だけでありその他は空気層５がある。べたつき官能試験を表１にまとめた。表１によると凸部３、つまり接触面積比率が１５％以下でなおかつ凸部３の面積が０．０１ｍｍ２を下回ったサンプルのみ全員が２点となりべたつかないと判断された。
【００２１】
【表１】
2004097460.tif 000003
【００２２】
次に、ひやり感の解消と凹凸の好ましい条件について、説明する。
表２は、各試験サンプル毎に、凹凸の条件として、接触面積比率（Ａ）、凹部深さ（Ｂ）、空気層容積（１００−Ａ）×Ｂ、を変化させたときの官能試験の結果を示すものである。人は、無作為に抽出した３名によって行った。
ひやり感の原因とは便座１に着座したとき尻および大腿部６と人体当接面２との温度差がある場合、尻および大腿部６より体温が急激に奪われることが原因である。表２の試験結果によると、空気層容積（１００−Ａ）×Ｂが９％・ｍｍ以上であった時の官能試験者がすべて２点（つめたくない）を示していることから、９％・ｍｍ以上の空気層容積を有する場合にごく低温の環境下で便座に着座したとき体温が急激に奪われることがなく、ひやり感を感じさせなくすることができる。上記計算式の定義としては（便座の表面と尻部が本来接触する面１００％−凸部面積Ａ）×凹凸の高さ＝空気層容積
【００２３】
【表２】
2004097460.tif 000004
【００２４】
またこの凹凸の凸平面および凹平面の面粗さをＲａ０．１μｍ以下としたとき、人体当接面２に凹凸があるにも関わらず光沢を保つことができる。
【００２５】
また、この凹凸の凹部４は交差させた溝形状を便座の少なくとも着座面に連続して多数設けることにより凸部３に比べ凹部４の面積を広くすることができる。これにより大きな空隙率を連続的に設けることができ、べたつき感ひやり感を感じさせなくすることができる。
【００２６】
【発明の効果】
微細な凹凸をつけた便座では、着座時人体当接面２に尻部および大腿部が密着しても汗や皮脂によるべたつき感やごく低温時のひやり感も感じなくすることができる。
【図面の簡単な説明】
【図１】本発明の便座本体を示す斜視図である。
【図２】本発明の凹凸形状を示す斜視図である。
【図３】本発明の便座使用時を示す断面図である。
【図４】本発明の凹凸の他の実施形態を示す斜視図である。
【図５】本発明の凹凸の他の実施形態を示す斜視図である。
【符号の説明】
１　便座
２　人体当接面
３　凸部
４　凹部
５　空気層
６　尻および大腿部
【図１】
2004097460.tif 000005
【図２】
2004097460.tif 000006
【図３】
2004097460.tif 000007
【図４】
2004097460.tif 000008
【図５】
2004097460.tif 000009